(57)【特許請求の範囲】
【請求項１】
複数の給油機と、
それら個々の給油機に対応して設けられて、該給油機の周辺を撮像可能な複数の監視カメラと、
該複数の監視カメラが撮像する映像を表示する少なくとも１つのテレビモニタとを備える給油所において、
前記テレビモニタは、前記複数の監視カメラが撮像する映像を１画面に分割表示可能な構造とされ、
通常は複数の監視カメラの撮像を前記テレビモニタに分割表示し、前記給油機によって給油を行うときには、その該当する給油ポイントを写す前記監視カメラの拡大画像に前記テレビモニタの表示を切り換える映像切替制御手段を備えていることを特徴とする給油所。
【請求項２】
前記テレビモニタに前記監視カメラが撮像する映像を表示するときに、前記監視カメラが撮像する給油ポイントに対応する識別符号を同時に表示する給油ポイント表示手段が設けられていることを特徴とする請求項１記載の給油所。
【発明の詳細な説明】
【０００１】
【発明の属する技術分野】
本発明は、主として車両に給油を行う給油装置及び該給油装置を備えた給油所に関し、特に給油作業員の無人化あるいは省力化を図る場合に用いて好適な給油装置及び給油所に関する。
【０００２】
【従来の技術】
従来の給油所においては、給油車両が進入してくると給油作業員が給油機に対し所定の操作を行って給油車両へ給油を行う。そして、給油が終わると、給油作業員と顧客との間で代金の精算を行うシステムが採用されている。
【０００３】
ところで、給油作業員の無人化あるいは省力化を図るため、上記従来の給油所において給油作業員に代わって顧客に給油作業を行わせるようにしたいわゆるセルフサービス式にした場合、操作を誤って油液を車両タンク外へ流出させてしまったり、油種を誤って給油してしまう等の何等かのトラブルが生じる可能性があり、また生じた場合に給油所側で迅速な対応ができない可能性がある。
したがって、このようなセルフサービスの給油所では、給油装置の周辺に監視カメラを設置し、監督所に設けたテレビモニタで監視員が一括的に監視しながら、油液の車両タンク外への流出等のトラブルが生じるのを防止することが検討されている。
【０００４】
【発明が解決しようとする課題】
ここで、通常の給油所では給油機が複数設置されており、給油を行う給油ポイントも複数あるが、セルフサービスの給油所でもこのようなことが十分予想される。このため、上記のような監視カメラを用いたセルフサービスの給油所の監視システムでは、各給油ポイントに監視カメラを設置してそれぞれの給油ポイントごとの給油操作を監視することが必要になる。
ところで、給油所に設置される複数の給油機の廻りにある給油ポイントは、個々に特徴がなく、監視カメラの撮像を見ただけではその給油ポイントがいずれの給油ポイントであるのかを判断することは困難であるという問題がある。
【０００５】
特に、長い給油ホースを用いた給油機の場合には、給油機に面する側とは反対側に給油口がある自動車に対しても給油が可能となるため、この車両の反対側で給油する場合にも監視できるような監視カメラの設置が必要となり、したがって、一つの給油ポイントに対して複数の監視カメラが設置されることとなる。
このように多くの監視カメラが設置される状況下では、映し出される映像から実際の給油ポイントを見つけだすことは、より一層困難なものとなる。
【０００６】
また、監視所にはさまざまなセルフ対応の機器が設置されるため手狭になることが予想され、監視用のテレビモニタを複数設置することは現実的でない。そのため、分割表示装置を用いて一台の共通のテレビモニタに監視カメラの撮像を分割表示することが有効であると考えられる。
しかしながら、複数の画像を１台のテレビモニタで分割表示すると１つ１つの映像が小さくなり、給油ポイントの状況が把握しづらくなって十分な給油監視を行えなくなるという問題がある。
【０００７】
本発明は、上記事情に鑑みてなされたもので、その目的とするところは、モニタテレビで表示された映像から直ちに給油ポイントがいずれかを判断することができる給油所を提供することにある。
また、共通のテレビモニタを用いて分割表示する場合でも、同テレビモニタに、必要に応じて給油ポイントの拡大映像を表示することができ、十分な給油監視が行える給油所を提供することも目的とする。
【０００８】
【課題を解決するための手段】
上記目的を達成するため、請求項１記載の発明の給油装置は、複数の給油機と、それら個々の給油機に対応して設けられ、該給油機の周辺を撮像可能な複数の監視カメラと、該複数の監視カメラが撮像する映像を表示する少なくとも１つのテレビモニタとを備える給油所において、前記テレビモニタは、前記複数の監視カメラが撮像する映像を１画面に分割表示可能な構造とされ、通常は複数の監視カメラの撮像を前記テレビモニタに分割表示し、前記給油機によって給油を行うときには、その該当する給油ポイントを写す前記監視カメラの拡大画像に前記テレビモニタの表示を切り換える映像切替制御手段を備えていることを特徴とする。
この給油所では、例えば一台のテレビモニターで、給油作業が開始されていない場合には全体の給油ポイントを全て表示し、給油作業が開始される場合にはその給油機に関係する給油ポイントの詳細を拡大して表示することができる。
【０００９】
請求項２記載の発明の給油所は、請求項１記載の発明において、前記テレビモニタに前記監視カメラが撮像する映像を表示するときに、前記監視カメラが撮像する給油ポイントに対応する識別符号を同時に表示する給油ポイント表示手段が設けられていることを特徴とする。
この給油所では、テレビモニタに、給油ポイントの画像と同時に同ポイントを示す識別符号も表示されるため、給油ポイントがいずれかを直ちに判断できる。
【００１１】
【発明の実施の形態】
以下、本発明の実施の形態を図１から図９に基づいて説明する。
図１に示すように、本発明に係る給油所は、当該給油所の制御の中心であって、給油所全体の監視及び管理を行うＳＳ（サービスステーション）コントローラ１と、該ＳＳコントローラ１から指令を受けて、現金カード及びクレジットカード等の記録体の記録データの照合、給油伝票の発行、及び給油代金の精算を行うためのＰＯＳ２とを備える。３，…は複数設置された計量機（給油機）であり、これら計量機３，…は信号線４，…を介して前記ＳＳコントローラ１に接続されている。
【００１２】
５，…は計量機の周辺の給油ポイントを撮像するテレビカメラ（監視カメラ）である。これらテレビカメラ５，…がとらえた映像は、分割表示装置６を介して、コントロールブースに設置される共通のテレビモニタ７に分割表示されるようになっている。また、分割表示装置６は信号線８を介して前記ＳＳコントローラ１に接続されており、前記モニタテレビ７では、前記分割表示の他、計量機３によって給油を行うときには、前記ＳＳコントローラ１に内蔵された映像切替制御手段９からの信号に基づき分割表示装置６が切り換えられて、該当する給油ポイントＡ１，…，Ａ８を写す前記テレビカメラ５の拡大画像が表示されるようになっている。
【００１３】
また、前記計量機３のテレビカメラ５によって写される部分、例えば、図５に示すようにテレビカメラ５を計量機３の上方に設置する場合では、計量機３の上面に、当該計量機３を特定する識別符号Ｗ（ここでは数字）が付されている（図７）。
また、分割表示装置６あるいはテレビカメラ５，…には、スーパーインボーズ機能（映像に文字を重ね合わせて表示する機能：給油ポイント表示手段）１０が設けられており、テレビモニタ７によってテレビカメラ５，…がとらえた映像を表示するときに、その給油ポイントを示す識別符号Ｘも同時に表示されるようになっている。
【００１４】
ここで、前記テレビカメラ５，…の設置例について説明すると、通常、給油客は計量機３のノズル近傍に自動車Ｃの給油口が来るように自動車１０を停止する。この自動車１０に対する給油操作（計量機３のノズルを自動車Ｃの給油口に差し込む操作）を監視するには、停止した自動車の給油口を映し出すように、前記テレビカメラ５，…を設置すればよい。例えば、図２に示すように、計量機３の上方のキャノピー１１にテレビカメラ５，…を設置すればよい。
【００１５】
前記計量機３が長い給油ホースを採用している場合、計量機３に面する側とは反対側に自動車Ｃの給油口が来るときでも給油が可能となるため、これにも対処するには、図３に示すように自動車Ｃの計量機３側の側面を写し出すテレビカメラ５ａに止まらず、計量機３とは逆側の自動車側面を写し出すテレビカメラ５ｂも必要になる。しかしながら、このようなテレビカメラの配置であると、一つの給油ポイント（一台の自動車に対して給油するポイントの意味）に２台のテレビカメラ５，…が必要となり、給油所全体では非常に多くのテレビカメラ５，…が必要になる。
このため、図４に示すように、一つのテレビカメラ５，…で２つの給油ポイントのそれぞれの半分を監視できるよう、停止する左右両側の自動車Ｃの対向する両側面を写せるような位置に配置するのが好ましい。
【００１６】
一方、モニタテレビ７の表示について説明すると、各テレビカメラ５，…が映し出す映像は、コントロールブースのモニタテレビ７に表示され、これを見ながら監視員が給油状態を監視することとなる。狭いコントロールブース内に複数のテレビモニタ７を設置することは、設置上の問題があるばかりでなく、監視員がわかりづらいという問題もある。
このため、モニタテレビ７を共通の１台にし、前記分割表示装置６を介してテレビカメラ５，…の撮像を分割表示するようにしている。
【００１７】
例えば、図５に示すような、計量機３を４台互いに適宜距離離して設置する給油所においてテレビカメラ５，…を９台設置する場合には、該テレビカメラ５，…の撮像を、図６に示すように共通のモニタテレビで９分割表示している。
この例の場合、給油ポイントＡ１，…，Ａ８は８箇所であるが、映し出される９つの映像はどれも同じような映像となり、その映像だけでは監視員がどの給油ポイントかを判断するのは難しい。
【００１８】
ところが、計量機３のテレビカメラ５で写される部分である上面には計量機３を特定する識別符号Ｗが予め付されているので、テレビカメラ５の映像を一見するだけで、その映像がどの給油ポイントを映し出しているか直ちに判別できるのである。
【００１９】
また、図７では、分割表示装置６あるいはテレビカメラ５に設けられたスーパーインボーズ機能１０を用いることで、モニタテレビ７は、テレビカメラ５，…の映像とともに給油ポイントを示す識別符号Ｘも同時に表示しており、これによっても、給油ポイントが直ちに判別できる。
【００２０】
このように、モニタテレビ７の映像を見ただけで映し出された映像がどの給油ポイントかが直ちに判別できるようになったが、分割表示を行っている場合１つの映像の大きさが小さいため、給油装置の安全を確認する際に、細部までわかりにくいという不具合がある。
【００２１】
特に、セルフサービスの給油所で安全確認が義務づけられるのは、給油客が給油を行おうとした際の操作を確認することであって、この安全確認を行った上で実際に給油を開始できるように監視員が操作することとなる。
このため、ＰＯＳ２あるいはＳＳコントローラ１などの制御機器で給油操作の状態を監視して給油客が給油の準備を整えた状態つまり監視員による安全の確認が必要になったときに、映像切替制御手段９からケーブル８を介して分割表示装置６に信号を送り、給油準備の整った給油ポイントを映し出すテレビカメラ５，…の映像をモニタテレビ７に大きく表示することにより、監視員による安全の確認をより容易に行うようにしている。
【００２２】
次に、このテレビカメラ５，…の映像切替制御手段９の内容について、図８及び図９を参照しながら説明する。
各給油ポイント（Ａ１，…，Ａ８）に対し、対応するテレビカメラ５が１台ならば、監視が必要になったときに分割表示から１面表示に切り換えればよいが、ここでは、図５に示した１つの給油ポイントに監視用のテレビカメラ５が２台設置される場合を例にあげて説明する。
【００２３】
図８はＳＳコントローラ１において、計量機３，…のノズルが外されたことを計量機３，…のノズルスイッチ（図示せず）が検知した場合に実行される処理を示すフローチャートである。
給油ポイントＡ１，…，Ａ８の計量機３のノズルが外された場合、まず、その給油ポイントＡ１，…，Ａ８において給油設定がなされているか判断する（ステップＳ１）。つまり、ＳＳコントローラ１に設けられた、図示せぬ給油量設定ボタンによって給油量が設定され、また、図示せぬ給油種設定ボタンによって油種が設定されている否か判断する。給油設定されている場合にはステップＳ２へ進み、設定されていない場合には終了する。
【００２４】
前記給油設定がされている場合には、次いで、設定されている油種と、計量機３から外されたノズルにより供給される油の種類が合っているかどうか判断し（ステップＳ２）、合っている場合にはステップＳ３へ進み、合っていない場合にはステップＳ９へ進む。
【００２５】
ステップＳ９では、ＳＳコントローラ１の表示部に油種が間違いであることを表示し、監視員に給油客の操作ミスがあることを知らせる。また、給油客に対しても操作ミスがあることを、例えば給油ポイントの近傍に配置された図示せぬ表示装置による表示あるいは音声出力装置等によって告知し、操作をやり直すように促して、その後処理を終了する。
【００２６】
前記設定されている油種と計量機３から外されたノズルにより供給される油の種類が合っている場合には、給油待ちであることを、ＳＳコントローラ１に設けられた図示せぬ表示灯を点滅させる等の手段により表示する（ステップＳ３）。
【００２７】
続いて、モニタテレビ７の表示が通常の９分割であるか否かを分割表示装置６から信号線８を介して送られる信号を基に判断する（ステップＳ４）。そして、９分割表示されている場合には、モニタテレビ７の表示を拡大表示（４分割表示）へ切り換える（ステップＳ８）。そして、同モニタテレビ７の上段の２画面に、該当する給油ポイントを監視する２つのテレビカメラ５，…の映像を表示する。例えば、給油ポイントがＡ２の場合には、給油ポイントＡ１とＡ２を同時に写すテレビカメラと、給油ポイントＡ２と給油ポイントＡ３とを同時に写すテレビカメラの映像を表示する。また、４分割表示の下段の２画面は非表示状態にし、処理を終了する。
【００２８】
一方、９分割表示されていない場合つまり既に４分割表示になっている場合には、さらに、モニターテレビ７で表示されている拡大表示が、１つの給油ポイントか否か、つまり、上段の２画面のみ表示され、下段の２画面は非表示状態になっているかどうか判断する（ステップＳ５）。そして、モニタテレビ７に１つの給油ポイントのみしか表示されておらず、下段の２画面が非表示状態になっている場合には、その非表示状態になっている下段の２画面に、ノズルが外された給油ポイントを表示し（ステップＳ７）、処理を終了する。
【００２９】
他方、モニタテレビ７の表示画像が既に複数の給油ポイントが表示されている場合、つまり、画面の上段及び下段にそれぞれ別々の給油ポイントが表示されている場合には、ＳＳコントローラ１のデータテーブルの給油許可待ちリストに、次なる給油ポイントがあることを書き込こんで終了する。したがって、該当する給油ポイントのモニタテレビ７への表示は順番待ちとなる。
【００３０】
次に、監視用のモニタテレビ７の拡大（４分割）表示された映像が、もとの９分割表示あるいは次なる拡大表示に切り換える手順について図９を参照して説明する。
【００３１】
ＳＳコントローラ１において、モニタテレビ７にて給油許可待ちと表示されている給油ポイントＡ１，…，Ａ８の安全を確認し、監視員は給油許可を与える操作を行う。具体的には、計量機から外されたノズルが自動車の給油口に正しく差し込まれているか否か等について、モニタテレビ７の画像を見ながら判断し、正しく差し込まれている場合には、給油を許可する図示せぬ許可ボタンを押す。
監視員が給油許可を与える操作を行うと、まず、計量機３へ給油許可を発行し、ＳＳコントローラ１に付設された表示灯等により、給油中である旨の表示を行う（ステップＳ１１）。
【００３２】
続いて、テレビモニタ７の拡大表示が１つの給油ポイントであるか否か、つまり、該当する給油ポイントのみか、あるいは下段の画面に次の給油ポイントが表示されているか否かを判断し（ステップＳ１２）、１つの給油ポイントのみしか表示されていない場合には、テレビモニタ７の拡大表示を、通常の９分割表示に戻し（ステップＳ１３）、処理を終了する。そして、ＳＳコントローラ１から映像制御のコマンドを分割表示装置１０へ発行する。
【００３３】
一方、テレビモニタ７の拡大表示が複数の給油ポイントを表示している場合には、現在表示されている拡大表示の下段の２画面に表示されている映像（次なる給油許可待ちのポイント）を上段２画面に表示する（ステップＳ１４）。続いて、さらに、次の給油許可待ちがあるか否かを、ＳＳコントローラ１のデータテーブルの給油許可待ちリストによりチェックする（ステップＳ１５）。
【００３４】
このとき、給油許可待ちがある場合には、許可待ちリストの給油許可ポイントを画面の下段に表示する。これと同時に、表示された給油ポイントを、給油待ちリストから削除して（ステップＳ１６）、処理を終了する。
他方、次の給油許可待ちがない場合には、モニタテレビ７の画面の下段２画面を非表示状態とし、処理を終了する。そして、ＳＳコントローラ１から映像制御のコマンドを分割表示装置１０へ発行する。
【００３５】
以上の制御により、モニタテレビ７の画像を通常の９分割表示から給油客が来た場合に拡大４分割表示にすることができる。その表示は、最初に給油許可待ち状態になった給油客の給油ポイントを４分割表示の上段２画面に表示し、監視員が安全を確認した後、給油許可を与えると、モニタテレビ７は通常の９分割表示に戻る。
【００３６】
また、給油許可を与える前に次の給油客が給油許可待ち状態になった場合には、４分割表示の下段２画面に給油許可待ちのポイントを表示することとなり、結局、給油客の受付順に、監視映像を最大２ポイントまで同時に表示する。
このように、モニタテレビ７の画面に給油客の受付順の給油ポイントを表示できるから、給油客には先着順に給油許可を与えることとなる。このため、給油客にとっては、許可順序の誤りによる不公平を受けることがなく、給油許可の順番待ちの場合でも不満が生じにくい。
【００３７】
以上、本発明の一実施形態を説明したが、これはあくまで例示であり、個々の構成要素にあっては、発明の要旨を逸脱しない範囲で適宜変更可能である。
例えば、給油ポイントを表す識別符号Ｗは、数字に限らず、Ａ，Ｂ，Ｃ，…の符号でも良く、また、イ，ロ，ハ，…のような符号であっても良い。また、計量機３の上面に設ける給油ポイントを表す識別符号Ｗにそれぞれの固有の厚みを持たせ、側面から見た場合、この厚みの違いにより給油ポイントを確認できるようにしてもよい。
【００３８】
また、同識別符号が付される箇所としては、計量機３の上面に限らず、テレビカメラ５，…により撮像される箇所であれば、側面、前面でもよい。さらに、計算機３の他としては、アイランド、フィールドサービスユニット（設定器などが入るアイランド上のユニット）、土間など、給油ポイント近くの監視用のテレビカメラ５で写る箇所Ｙ（図７）であってもよい。
【００３９】
また、監視用のモニタテレビ７の画面の映像切替制御手段９による制御についても、本実施形態では、給油設定後、計量機３からノズルを外したことを検知して給油ポイントを拡大表示し、監視員が給油許可を与えたら、通常の９分割表示に戻す例を示したが、給油設定されたとき、あるいは単にノズルを外したときに拡大表示に切り換えたり、また、拡大表示後一定時間経過したら通常の９分割表示に戻すようにしても良い。
【００４０】
また、本実施形態では、受付順に給油ポイントを表示する例を説明したが、受け付けた時点で順次最新のものを表示するようにしても良い。
さらに、給油開始の安全確認時だけでなく、給油終了時（油の吐出が停止した時）にも拡大表示して、ノズル戻しの操作も拡大表示で確認するようにしても良い。この場合は、給油前か後かを示す符号（文字等）をＳＳコントローラ１から分割表示装置６へ送り、拡大表示された映像がどういうものかを、テレビカメラ５，…等に内蔵されたスーパーインポーズ機能で画面表示させても良い。
【００４１】
また、ＳＳコントローラ１の操作部を、監視員が操作することで、モニタテレビ７の拡大表示、通常の分割表示への切替を、自動制御の他にマニュアル操作でも行えるようにしてもよい。
また、前記実施形態では、拡大表示、分割表示の切替を９分割から４分割、４分割から９分割としたが、これに限らず、１６分割から４分割、１面表示から１６分割等、分割表示時あるいは拡大表示時の分割数を適宜変更しても良い。
【００４２】
【発明の効果】
以上説明したように、請求項１記載の発明によれば、テレビモニタを複数の監視カメラが撮像する映像を１画面に分割表示可能な構造とし、通常は複数の監視カメラの映像をテレビモニタに分割表示し、給油機により給油を行うときには、その該当する給油ポイントを写す監視カメラの拡大画像にテレビモニタの表示を切り換えるから、設置するモニタテレビの台数が少なくできるのは勿論、監視時に必要箇所を大画面表示できるので、安全確認も容易に行える。また、監視する給油ポイントを間違えるおそれが少なく、しかも、監視カメラの操作が不要となり、監視員の負担が減少する。 
【００４３】
また、請求項２記載の発明によれば、テレビモニタによって、複数の計量機の何れかが使用されて給油されることを表示するときに、給油ポイント表示手段によって、監視カメラが撮像する給油ポイントに対応する識別符号を同時に画面表示されるので、直ちに給油ポイントがいずれかを判断することができ、安全の確認が瞬時に行える。
【図面の簡単な説明】
【図１】  本発明の実施形態の給油所の制御系を表す概略ブロック図である。
【図２】  テレビカメラの配置例を示す正面図である。
【図３】  テレビカメラの他の配置例を示す正面図である。
【図４】  テレビカメラの他の配置例を示す正面図である。
【図５】  テレビカメラの他の配置例を示す正面図である。
【図６】  監視用のモニタテレビの表示画面を示す正面図である。
【図７】  監視用のモニタテレビの表示画面を示す正面図である。
【図８】  映像切替制御手段の内容を示すフローチャートである。
【図９】  映像切替制御手段の内容を示すフローチャートである。
【符号の説明】
１  ＳＳコントローラ
２  ＰＯＳ
３  計量機（給油機）
５  テレビカメラ（監視カメラ）
６  分割装置
７  モニタテレビ
９  映像切換制御手段
１０  スーパーインボーズ機能（給油ポイント表示手段）
Ｃ  自動車
Ｗ  識別符号
Ｘ  識別符号
【図１】
0003737275.tif 000002
【図２】
0003737275.tif 000003
【図３】
0003737275.tif 000004
【図４】
0003737275.tif 000005
【図５】
0003737275.tif 000006
【図６】
0003737275.tif 000007
【図７】
0003737275.tif 000008
【図８】
0003737275.tif 000009
【図９】
0003737275.tif 000010